(57)【要約】      （修正有）【課題】簡単に抜けなくなり、固定できる昆虫を防止する網の止め具を提供する。【解決手段】取手１５−１とバネ１５−３の部分は洗濯バサミの形状で、ネットをつかむ先端部分１５−２はヘアークリップ型の形で、つかむ部分のツメはできるだけ多くしておき、バネは二個にして、強力にして、ネットとネット、ネットと別の物体を固定する時は、できるだけワンタッチでつかんで固定をすることができるように、つかむ部分の先端は少し曲げた細いツメ状の形状と交差するようにしておく。更に、ネットをつかむ二個の先端部分から中心部１５−４よりの支柱と二個の取手の中間部分より中心部に近い取手の支柱の部分に、ヒモを引っかけることができる切れ目状の溝１５−７をつけておいた。【選択図】図３
0003217614.tif 000002
【実用新案登録請求の範囲】
【請求項１】
カシノナガキクイムシなどの昆虫が出入りできない、細かいメッシュ状の網を用意して、木の幹に１〜３重に巻いて止める方法として本考案のツメ引っかけ式、ネットの止め具とロールブラシ式、ネットの止め具で一旦、すばやく止めておき、ボンド、シリコンのコーキング、シーリングで接着したり、無公害の縄で縛ったりして隙間が出ないようにして、木の根の上の地面の上にも網を敷いて、網と網を接続してつなぐ部分には一旦、本考案のツメ引っかけ式、ネットの止め具やロールブラシ式、ネットの止め具で止めておき、そのあと、ボンド、シリコンのコーキング、シーリングで接着して隙間が出ないようにしておき、その上から、風で飛ばないようにブロックを置いたり、Ｔ字型やＳ字型のネットの押しピンで押さえておいて、網の最終の端は苔、土、土砂を削って網の端を入れ込んで、土砂を掛けておいて、その上からブロック、又はＴ字型やＳ字型のネットの押さえピンで止めておいたり、昆虫が嫌う植物の乾燥粉末と土砂の混合物を網の端の上にかぶせたり、その上にブロックを置いたりして隙間の出ないようにして、カシノナガキクイムシなどの昆虫が木に出入りできなくすることを特徴とする、ナラ枯れ防止対策。
【請求項２】
ミカン、桃，ビワ、桜、クヌギの木などを枯れさす被害が発生している。これは原産地が中国、台湾、ベトナム北部、朝鮮半島などのクビアカツヤカミキリ（クロジャコウカミキリ）（分類；コウチュウ目、ハムシ上科、カミキリムシ科、学名；Ａｒｏｍｉａ  ｂｕｎｇｉｉ，）が原因である。そのクビアカツヤカミキリなどの昆虫が木に出入りできないようにするためにメッシュ状の網を用意して、木の幹に巻いたり、地上の根の上に被せたりしておく時に、本考案の二つの止め具である、ツメ引っかけ式、ネットの止め具とロールブラシ式、ネットの止め具で素早く、一旦止めておいて、ボンド、シリコンのコーキング、シーリングで幅広く網と網を接着さすことにより隙間をなくして、更に幹は縄で縛ったり隙間をなくして、地上は網が風で舞い上がるのを防ぐために、接続部分にＴ字型やＳ字型のネットの押しピンを差し込んだり、ブロックの重しを付けたりして、木に害虫の昆虫が出入りできなくすることを特徴とする、メッシュ状の網と網の止め方による、昆虫の防止対策。
【考案の詳細な説明】
【技術分野】
【０００１】  カシノナガキクイムシなどの昆虫によるナラ枯れ被害が発生して、大きな樹木を枯死させる被害が各地で発生しているが、決定的な予防策がないのが現状である。カシノナガキクイムシなどの昆虫を木に近づけなくして、木の中から飛び立つことをできなくした方法でナラ枯れを防止することに関することである。
【背景技術】
【０００２】  ナラ枯れの原因となるカシノナガキクイムシなどの昆虫を根絶さすものは、現在、存在しないが防止対策は存在する。
【先行技術】
【０００３】１、いろいろな薬剤を散布する。カシノナガキクイムシ（以下カシナガ）を駆除するいろいろな薬品が発売されている。だだし、雨が降ると効果が少なくなる。更に、土壌や苔類に薬害をもたらす。
２、「カシナガトラップ」というペットボトルを利用した器具でカシナガを誘引して捕獲する器具。落とし穴式であるが決定的なものではない。現在、奈良の寺の霊山寺で実験している。
３、ナラ枯れの原因をつくるのは甲虫のカシナガであり健康なナラ類〈ミズナラ、コナラなど〉シイ、カシ類などの樹木、樹幹に穿入し、病原菌を感染させて樹木内の水の吸い上げを阻害するためである。感染木は梅雨あけ直後、７月後半から枯れ始める。ただし、若齢樹はカシノナガキクイムシの繁殖はほとんどみられない。そのために古い大きな大木を中心に下記の方法の対策がなされている。
（予防１）粘着剤の塗布；
保護したい健全木の樹幹に粘着剤（殺虫剤）を塗布し、粘着力（殺虫力）によりカシナガの穿入を防止。（秋〜春）
（予防２）ビニール被覆；
保護したい健全木の樹幹をビニールシートや粘着シートを被覆し、カシナガの穿入を防止。（秋〜春）※被害木から虫の脱出を防ぐために行う場合は駆除。
（予防３）樹幹注入；
保護したい健全木にあらかじめ殺菌材を注入し、カシナガが穿入しても材内でのナラ菌の繁殖を防止。（春〜秋）
（駆除１）代倒くん蒸；
被害木を伐採、玉切り、集積し、シートで被覆密閉して薬剤でくん蒸処理することで、材内のカシナガを殺虫。（秋〜春）
（駆除２）焼却、破砕、割材；
被害木を代倒し、焼却等を行い、乾燥や物理的要因により材内のカシナガを殺虫。（秋〜春）
（駆除３）誘因捕殺；
おとり木やペットボトルトラップを設置し、カシナガを誘引して捕殺。（春〜夏）
【考案の概要】
【０００４】  本考案は三つの方法で構成する。一つはカシノナガキクイムシ（以下カシナガ）などの昆虫が出入りできない細かいメッシュ状の網を用意して、網を木の幹に巻く。更に、網を地面に這っている根の上や地面や苔の上に敷く。二つは木の幹に網を巻き込んだり、地面に網を重ねたりして網と網を接続して止める時に素早く網と網を止める方法として本考案の「ツメ引っかけ式、ネットの止め具」や「ロールブラシ型、ネットの止め具」で  素早く一旦、止めておいた後に、コストの安価な方法のボンド、シリコンのシーリング、コーキングを幅広く塗布して、乾かして接着することにより、網と網を接着させて、隙間が出ないようにする。三つはメッシュ状の網の最終の端の部分は地面の土、土砂や苔であり、土、土砂、苔を削って網の端を埋めたり、ブロックを置いたり、Ｔ字型やＳ字型のいろいろな大きさのネット用押ピンで止めたり、昆虫が嫌う植物である、ユーカリ、除虫菊、ラベンダーなどの乾燥粉末を混ぜた土砂をかけたりして、昆虫が出入りできないようにする。以上の三つの構成によりカシナガなどの昆虫が大木に近寄ることができなくて、さらに木の中にいる昆虫が網のために外へ飛び立つことができないようにしたことを特徴とする、ナラ枯れ防止対策。
【考案が解決しようとする課題】
【０００５】  近年、ナラ枯れ被害が生駒山系、金剛山系にわたる広範囲で被害が確認されている。
本州、四国、九州にも被害がある。カシノナガキクイムシ（カシナガ）（Ｐｌａｔｙｐｕｓ  ｑｕｅｒｃｉｖｏｒｕｓ）などの昆虫が媒介するナラ菌により、ミズナラなどが集団的に枯損する「ナラ枯れ」が発生している。大きな樹木を枯死させる被害が各地に拡大している。原因は昆虫目；ナガキクイムシ科の昆虫である。成虫の体長は４〜５ミリ程度の円筒形であり、大径木の内部に穿孔して棲息する。穿孔された樹木は急速に枯れ死する。枯れの原因はラファエレア菌（ナラ菌）が繁殖して，生立木の樹木内に運び込む水の吸い上げを阻害することによるものである。このカシノナガキクイムシなどの昆虫の被害の防止を早急に考えなければ日本の財産である何百年と生きた大木が枯れ死し、倒木して大変なことになるのでその対策が急務である。
【考案を解決するための手段】
【０００６】  本考案は（１）、（２）、（３）の方法で構成する。
（１）、カシノナガキクイムシなどの昆虫は４〜５ｍｍであり、出入りできない細かいメッシュ状の網を用意する。その網はメッシュ２０〜２４とする。材質はプロピレン、ポリオレフィン、ポリエチレン、ポリエステル製などでつくる。網の寸法は取扱いやすいサイズで１〜２ｍ×１〜３ｍ、又は１〜２ｍ×長い巻物  にして施工時に自由な長さに切断して使用する。その網を木の幹の地上から３〜４ｍに上から下へと巻き付ける。巻き付けて止める方法は本考案の「ツメ引っかけ式、ネットの止め具」や「ロールブラシ式、ネットの止め具」で一旦、素早く止めておき、無公害の細い縄や、ヒモで上、中、下を強くしばる。また、ボンド、シリコンのコーキング、シーリングで幅広く接着さすことにより、隙間をなくする。本考案の止め具を使用するとネットが曲がっていたり、いがんでいても少人数で作業が素早くできるメリットがある。
（２）地上の根の部分は大きな根がたくさん這っていて、凸凹や傾斜がたくさんあるために網と網とを重ねて接続する部分は幅広く重ねて、本考案の二つのネットの止め具で止めておき、ボンド、シリコンのコーキング、シーリングで幅広く接着して、隙間が出ないようにする。また、風などで浮き上がらないように接着個所にはＴ字型やＳ字型のネットの押しピンを網の上から打ち込んだり、ブロックを置いておく。
（３）最終の網の端は隙間が出やすいので重要な作業となる。地面は土と土砂と苔である。地面を２０〜５０ｃｍ程の幅を削って網の端を土砂に差し込んで網の端に土砂をかける。その上から、ブロック、又は、Ｔ字型やＳ字型のネットの押しピンで止めておく。更に、土砂がないところは昆虫が嫌う植物であるユーカリ、除虫菊、ラベンダーなどの乾燥粉末と土砂の混合物を網の端にかぶせておいて、ブロックを置いて重しをして置く。
昆虫は４〜５ミリと小さいのでちょっとした隙間で容易に入る。一匹でも入るとそこに道が付き仲間が集まってくるので隙間をなくすることが重要となる。
【考案の効果】
【０００７】  本考案のメッシュ状の網を木の幹や根の周りの付近に少人数で効率よく設置することにより、ビニールシートや粘着シートの被覆に比べて木に与える雨や風の影響が自然に近い状態であり、木の幹や根にストレスを与えることなく、多くのカシノナガキクイムシなどの昆虫から木を守ることができて、土壌や自然にも優しく、公害も生まない方法でナラ枯れを防ぐことができる、ナラ枯れ防止対策。
【図面の簡単な説明】
【０００８】
【図１】本考案の網の図  （１）正面図  （２）側面図
【図２】網を木に巻き付けた図と木の根の上に敷きしめた図
【図３】本考案の網を素早く止める器具の図  （１）ツメ引っかけ式、ネットの止め具  ▲１▼正面図  ▲１▼―１  閉めた図  ▲１▼―２  開けた図  ▲２▼側面図  閉めた図  左  右  ▲３▼上からの図  閉めた図  ▲４▼斜め図  閉めた図  （２）ロールブラシ式、ネットの止め具  ▲１▼正面図  ▲２▼側面図  左  右  ▲３▼上からの図  ▲４▼斜め図
【図４】網の端と網と網のつなぎ目を止める方法  （１）ボンド、シリコンのコーキング、シーリング、及びコーキングガン、シーリングガン  （２）Ｔ字型、Ｓ字型のシート用押さえピン  ▲１▼正面図  Ｔ字型、Ｓ字型  ▲２▼側面図  左  右  Ｔ字型、Ｓ字型  ▲３▼上からの図  Ｔ字型、Ｓ字型  ▲４▼斜め図  Ｔ字型、Ｓ字型  （３）ブロック  ▲１▼正面図  ▲２▼側面図  左  右  ▲３▼上からの図  （４）昆虫が嫌う植物の乾燥粉末と土砂とを混合した土砂  （５）昆虫が嫌う植物の乾燥粉末と土砂を混合した土砂を網の端にかぶせた図と上にブロックを置いた図  （６）土、土砂、苔を削って網を入れ込んだ図とＴ字型のネットの押しピンを差し込んだ図  （７）土、土砂、苔を削って網を入れ込んだ図とブロックを置いた図
【符号の説明】
【０００９】▲１▼メッシュ状の網
▲２▼メッシュ状の網の端
▲３▼メッシュ状の網のつなぎ目
▲４▼木の幹
▲５▼木の根
▲６▼地面
▲７▼昆虫が嫌う植物の乾燥粉末
▲８▼土砂、土
▲９▼昆虫が嫌う植物の乾燥粉末と土砂の混合物
▲１０▼カシノナガキクイムシ
▲１１▼Ｔ字型のシート用、押さえピン
▲１２▼Ｓ字型のシート用、押さえピン
▲１３▼ツメ引っかけ式、ネットの止め具
―▲１▼取手
―▲２▼ツメの先端部分
―▲３▼バネ
―▲４▼中心部
―▲５▼交差している部分
―▲６▼バネが入る穴
▲１４▼ロールブラシ式、ネットの止め具
―▲１▼細いツメ状の突起物
‐▲２▼丸状の支柱
▲１５▼シーリング（コーキング）用のボンド、シリコンコーク
▲１６▼ボンド、シリコンコークを出す器具（コーキングガン）
▲１７▼縄、ヒモ
▲１８▼ブロック
【考案を実施するための形態】
【００１０】  ナラ類の木の大木は一つの森に５〜１０本ぐらいが生えているのではない。３０〜１００本以上の木が生えている。そこでカシノナガキクイムシなどの昆虫が穿孔しそうなナラ類の大木に一つずつ本考案を丁寧に実施してゆくことが肝要である。地道な仕事であり、木や森を守るという強い使命感がなければできないことである。
１、木の幹の上から下へメッシュ状の網を巻いていく。本考案の「ツメ引っかけ式、ネットの止め具」や「ロールブラシ式、ネットの止め具」でいったん素早く止めておき、後でゆっくりとボンド、シリコンのコーキング、シーリングで塗布して、乾かして接着したり、縄やヒモで縛る。縄やヒモと接着は隙間が出ないようにする。一旦、止め具で止めておく作業は網の癖を直しながら、少人数で効率よく作業をするためである。
２、根の這った地上の部分は幹の部分から徐々に四方に網を広げてゆく。網と網とを接続さす部分は２０〜５０ｃｍ程重ねて一旦、本考案のネット止め具で止めておき、コーキング、シーリングで塗布して、乾かして接着させたり、ブロックを置いたり、Ｔ字型やＳ字型のネットの押しピンで風に負けないように、しっかりと止めておく。
３、網の最終の端は地面には苔が生えている。苔と共に土、土砂を幅、１５センチ以上削って、その土の中へ網の端を入れ込んで、土砂をかぶせておく。その上からブロックを置いたり、Ｔ字型やＳ字型のネットの押しピンでしっかりと止めておく。更に土砂を削れないところは網の端に昆虫が嫌がる植物の乾燥粉末と土砂の混合物をかけておいてブロックを置いておく。４〜５ミリの小さな昆虫のために、ほんの小さな隙間もないようにする地道な作業がすべてであり、これが大切な作業となる。
網と網の隙間のチェックとその見回りのメンテナンスが必要である。カシノナガキクイムシなどの昆虫は４〜５ミリと小さい。その小さいという認識と隙間のチェックが最重要となる。大変な作業であるが、歴史ある日本の森と山を守るという使命でコツコツと日々の努力が必要でなる。一個人、一神社、一お寺には荷が重すぎるのでマスコミや行政に協力を求める必要がある。
【産業上の利用可能性】
【００１１】  今、日本の山は「ナラ枯れ」被害が急速に広がっている。その原因はナガキクイムシ科の昆虫であるカシノナガキクイムシなどが大径木の内部に穿孔して棲息してナラ菌を繁殖させて、生立木の樹木内に運び込む水の吸い上げを阻害するために起こる枯れ死である。何百年と生きた大きな大木が枯れていくという大変な事態になっている。本考案を使用して大きな大木の幹や根にカシノナガキクイムシなどの昆虫が近づかないようにすることや、既に木の中にいる場合は外へ飛び立てないようにすることにより、何百年と生きてきた樹木の被害をくい止めることに寄与して、有名な神社、お寺の森や日本の山を守ることに貢献する。
【図１】
0003217614.tif 000003
【図２】
0003217614.tif 000004
【図３】
0003217614.tif 000005
0003217614.tif 000006
0003217614.tif 000007
【図４】
0003217614.tif 000008
0003217614.tif 000009
【手続補正書】
【提出日】平成29年12月4日(2017.12.4)
【手続補正１】
【補正対象書類名】実用新案登録請求の範囲
【補正対象項目名】全文
【補正方法】変更
【補正の内容】
【実用新案登録請求の範囲】
【請求項１】
ナラ枯れを発生さすカシノナガキクイムシなどの昆虫が樹幹に出入りできなくするために、包帯式の巻いた細かいメッシュ状の網を用意して、樹幹に１〜３重に巻いたり、地上の根の上に被せたりしておく時に、作業の途中で一旦止めて、休息したり、別のことをしたりする時には、細かいツメが前後、左右に円状、又は板状に無数に出ている「ロールブラシ式、ネットの止め具」で上下の二枚の網に引っかけて、一旦止めておくことが可能であり、更に最終的に網を止める時には「ヒモ引っかけ、切れ目状の溝付きのツメ引っかけ式、ネットの止め具」で網と網を細いツメで素早く止めておき、別途にヒモを用意して、そのヒモを樹幹に２〜３重に回して、しぼり、ヒモの端を「止め結び」や「８の字結び」にして、ヒモ引っかけ、切れ目状の溝に差し込み、引っかけ、入れ込んで止めることにより、樹幹に巻いた網に隙間が出ないようになり、作業性良く、効率的に作業が出来ることを特徴とする、昆虫を防止する網の止め具。
【請求項２】
原産地が中国、台湾、ベトナム北部、朝鮮半島などのクビアカツヤカミキリは外来種のために天敵が少ないために、ミカン、桃、ビワ、桜、クヌギなどの樹幹に穴を開けて枯れさす被害がたくさん発生しているので、クビアカツヤカミキリなどの昆虫が樹幹に出入りできないようにするために、包帯式の巻いた細かいメッシュ状の網を用意して、樹幹に１〜３重に巻いたり、地面に被せたりしておく時に、作業の途中で一旦止めて、休息したり、電話をかけたりして別のことをする時には、細かいツメが前後、左右に円状、又は板状に無数に出ている「ロールブラシ式、ネットの止め具」で上下二枚の網に引っかけて、一旦止めておくことが可能であり、更に最終的に網を止める時には「ヒモ引っかけ、切れ目状の溝付きのツメ引っかけ式、ネットの止め具」で網と網を細いツメで素早くはさんで止めておき、別途にヒモを用意して、そのヒモを樹幹に２〜３重に回して、絞り、ヒモの端を「止め結び」や「８の字結び」にして、ヒモ引っかけ、切れ目状の溝に差し込み、入れ込んで結び止めることにより、樹幹に巻いた網に隙間が出ないようにして、作業性良く、効率的に作業が出来ることを特徴とする、昆虫を防止する網の止め具。
【手続補正４】
【補正対象書類名】図面
【補正対象項目名】全図
【補正方法】変更
【補正の内容】
【図１】
0003217614.tif 000010
【図２】
0003217614.tif 000011
【図３】
0003217614.tif 000012
【図４】
0003217614.tif 000013
【図５】
0003217614.tif 000014
【図６】
0003217614.tif 000015
【図７】
0003217614.tif 000016
【図８】
0003217614.tif 000017
【図９】
0003217614.tif 000018
【図１０】
0003217614.tif 000019
【手続補正５】
【補正対象書類名】明細書
【補正対象項目名】全文
【補正方法】変更
【補正の内容】
【考案の詳細な説明】
【技術分野】
【０００１】  カシノナガキクイムシなどの昆虫によるナラ枯れ被害が発生して、大きな樹木を枯れ死さす被害が各地で発生しているが、決定的な予防策がないのが現状である。カシノナガキクイムシなどの昆虫を木に近づけなくして、木の中からも飛び立つことをできなくした方法でナラ枯れを防止することに関することである。
【背景技術】
【０００２】  ナラ枯れの原因となるカシノナガキクイムシなどの昆虫を根絶さすものは、現在、存在しないが防止対策は存在する。
【先行技術】
【０００３】１、いろいろな薬剤を散布する。カシノナガキクイムシ（以下、カシナガ）を駆除するいろいろな薬品が発売されている。ただし、雨が降ると効果が少なくなる。更に、薬剤は土壌や苔類に薬害をもたらす。
２、「カシナガトラップ」というペットボトルを利用した器具でカシナガを誘引して捕獲する器具。落とし穴式であるが決定的なものではない。現在、奈良の寺の霊山寺で実験している。
３、ナラ枯れの原因をつくるのは甲虫のカシナガであり健康なナラ菌（ミズナラ、コナラなど）、シイ、カシ類などの樹幹に穿孔し、病原菌を感染させて樹木内の水の吸い上げを阻害するためである。感染木は梅雨あけ直後、７月後半から枯れ始める。ただし、若齢樹はカシノナガキクイムシの繁殖はほとんどみられない。そのために古い大きな大木を中心に下記の方法の対策がなされている。
（予防１）粘着剤の塗布；
保護したい健全木の樹幹に粘着剤（殺虫剤）を塗布し、粘着力（殺虫力）によりカシナガの穿入を防止。（秋〜春）
（予防２）ビニール被覆；
保護したい健全木の樹幹をビニールシートや粘着シートを被覆し、カシナガの穿入を防止。（秋〜春）        ※被害木から虫の脱出を防ぐために行う場合は駆除。
（予防３）樹幹注入；
保護したい健全木にあらかじめ殺菌剤を注入し、カシナガが穿入しても材内でのナラ菌の繁殖を防止。（春〜秋）
（駆除１）代倒くん蒸；
被害木を伐採、玉切り、集積し、シートで被覆密閉して、薬剤でくん蒸処理することで、材内のカシナガを殺虫。（秋〜春）
（駆除２）焼却、破砕、割材；
被害木を代倒し、焼却などを行い、乾燥や物理的要因により、材内のカシナガを殺虫。（秋〜春）
（駆除３）誘因捕殺；
おとり木やペットボトルトラップを設置し、カシナガを誘引して捕殺。（春〜夏）
【考案の概要】
【０００４】  ナラ枯れの原因をつくるカシノナガキクイムシなどの昆虫が樹幹に出入りできなくするために、包帯式に巻いた、細かいメッシュ状の網を用意して、樹幹に巻いたり、地上の根の上に被せたりする時に、作業途中で、手が疲れたり、一旦、作業を止めて別のことをする時には、細かい、無数の丸状、又は板状のツメを網の上、下にはめ込み、固定をする「ロールブラシ式、ネットの止め具」で一旦、作業を止めておくことが可能であり、更に、包帯式の網を最終的に止めて、網を樹幹に縛るときは「ヒモ引っかけ、切れ目状の溝付きのツメ引っかけ式、ネットの止め具」で止める。網を一旦、細いツメで止めておき、ヒモを樹幹に２〜３重に回して絞り、ヒモの端を輪状にして、「止め結び」や「８の字結び」でヒモ引っかけ、切れ目状の溝に差し込み、入れ込んで、結び止めておくことにより、隙間のでないように縛ることができる。更に、地上の根の上に被せる時は網を１〜３重に重ねて止める時に、「ロールブラシ式、ネットの止め具」や「ヒモ引っかけ、切れ目状の溝付きのネットの止め具」で風や網のくせなどで飛んだり、立たないようにして、Ｔ字型やＳ字型のネットの押しピンで地面に差し込んだり、ブロックで重しをしたりして、害虫の昆虫が樹木に出入りできなくするために、二個の止め具を使用すれば、作業性良く、素早く網を止めることができることを特徴とする、昆虫を防止する網の止め具。
【考案が解決しようとする課題】
【０００５】  近年、ナラ枯れ被害が生駒山系、金剛山系にわたる広範囲で確認されている。本州、四国、九州、にも被害がある。カシノナガキクイムシ（Ｐｌａｔｙｐｕｓ  ｑｕｅｒｃｉｖｏｒｕｓ）などの昆虫が媒介するナラ菌により、ミズナラなどが集団的に枯損する「ナラ枯れ」が発生している。大きな樹木を枯れ死さす被害が各地で拡大している。原因は昆虫目；ナガキクイムシ科の昆虫である。成虫の体長は４〜５ミリ程度の円筒形であり、大径木内部に穿孔して棲息する。穿孔された樹木は急速に枯れ死する。枯れの原因はラファエレア菌（ナラ菌）が繁殖して、生立木の樹木内に運び込む水の吸い上げを阻害することによるものである。このカシノナガキクイムシなどの昆虫の被害の防止を早急に考えなければ日本の財産である何百年と生きた大木が枯れ死し、倒木して大変なことになるのでその対策が急務である。
【考案を解決するための手段】
【０００６】  本考案は（１）、（２）、（３）の方法で構成する。
（１）カシノナガキクイムシなどの昆虫は４〜５ミリであり、昆虫が出入りできない、細かいメッシュ状の包帯式の網を用意する。その網のメッシュは２０〜２４とする。材質はプロピレン、ポリオレフィン、ポリエチレン、ポリエステル製などでつくる。網の寸法は２０〜７０ｃｍ×長い巻物  にして施工時に自由な長さに切断して使用する。包帯式の網を樹幹に巻いているときに手が疲れたり、他に用事ができた時は「ロールブラシ式、ネットの止め具」で一旦、止めておき、一から巻きなおすことなく、休憩したり、他の用事を済ますことができる。網を最終的に止める時は「ヒモ引っかけ、切れ目状の溝付きのツメ引っかけ式、ネットの止め具」で一旦、巻いてきた網の上下をツメで素早く止めておいて、別途にヒモを用意して、ヒモを樹幹に巻いた網の上に２〜３重に回して絞り、ヒモの端を輪状にして、ヒモ引っかけ、切れ目状の溝に、「止め結び」や「８の字結び」の結び目をつくって、入れ込み、結び止めておくことにより、隙間が出ないように少人数で、素早く強く止めることができる。また、ボンド、シリコンのコーキング、シーリングで接着をする。
（２）地上の根の部分は大きな根がたくさん這っていて、凸凹や傾斜がたくさんあるために網と網とを重ねて接続する部分は風などで浮き上がらないように「ロールブラシ式、及びヒモ引っかけ、切れ目状の溝付きのネットの止め具」で網と網を素早く止めておいて、ボンド、シリコンのコーキング、シーリングで接着させたり、Ｔ字型、Ｓ字型のネットの押しピンで網の上から打ち込んだり、ブロックを置いておく。
（３）最終の網の端は隙間が出ないようにする。地面は土、土砂、苔である。地面を２０〜５０ｃｍ程の幅を削って、網の端を土砂に差し込んで網の端の上に土砂をかぶせる。その上からブロック、又はＴ字型やＳ字型のネットの押しピンで止めておく。更に土砂がないところは昆虫が嫌う植物であるユーカリ、除虫菊、ラベンダーなどの乾燥粉末と土砂の混合物を網の端にかぶせておいて、ブロックで重しをしておく。
【考案の効果】
【０００７】  本考案の包帯式の巻いた、メッシュ状の網を樹幹や根の上に効率よく施工する時に「ロールブラシ式、ネットの止め具」と「ヒモ引っかけ、切れ目状の溝付きのツメ引っかけ式、ネットの止め具」を使用すると小人数で、早く、効率よく作業ができる。更にビニールシートや粘着シートの被覆に比べて木に与える雨や風の影響が自然に近い状態であり、木の幹や根にストレスを与えることなく、多くのカシノナガキクイムシなどの昆虫から木を守ることができて、土壌などにも優しく、公害も生まない方法でナラ枯れを防ぐことができる、昆虫を防止する網の止め具。
【図面の簡単な説明】
【０００８】
【図１】包帯式に巻いた網の図  （１）正面図  （２）側面図  （３）上からの図
【図２】網を施工した図  （１）樹幹に巻いた図  （２）根の上に敷いた図
【図３】ヒモ引っかけ、切れ目状の溝付きのツメ引っかけ式、ネットの止め具  （１）正面図  ▲１▼閉めた図  ▲２▼開けた図  （２）側面図  閉めた図  左、右  （３）上からの図  締めた図  （４）斜め図  締めた図
【図４】ロールブラシ式、ネットの止め具  （１）正面図  丸状、板状  （２）側面図  丸状、板状  （３）上からの図  丸状、板状  （４）斜め図  丸状、板状
【図５】ヒモ引っかけ、切れ目状の溝の図とヒモ
【図６】ヒモの図  （１）ヒモの「止め結び」の図  （２）ヒモの「８の字結び」の図
【図７】網の端や網と網を止める方法  （１）ボンド、シリコンのコーキング、シーリング、及びコーキングガン、シーリングガン  （２）Ｔ字型、Ｓ字型のシート用押さえピン  ▲１▼正面図  Ｔ字型、Ｓ字型  ▲２▼側面図  Ｔ字型、Ｓ字型  ▲３▼上からの図  Ｔ字型、Ｓ字型  ▲４▼斜め図  Ｔ字型、Ｓ字型  （３）ブロック  ▲１▼正面図  ▲２▼  側面図  左  右  ▲３▼  上からの図
【図８】▲１▼昆虫が嫌う植物の乾燥粉末と土砂  ▲２▼昆虫が嫌う植物の乾燥粉末と土砂を網の端にかぶせて、上にブロックを置いた図
【図９】土、土砂、苔を削って網を入れ込んでＴ字型のネットの押しピンを差し込んだ図
【図１０】土、土砂、苔を削って網を入れ込んで上にブロックを置いた図
【符号の説明】
【０００９】▲１▼  包帯式のメッシュ状の網
▲２▼  メッシュ状の網の端
▲３▼  メッシュ状の網のつなぎ目
▲４▼  木の樹幹
▲５▼  木の根
▲６▼  地面
▲７▼  昆虫が嫌う植物の乾燥粉末
▲８▼  土、土砂
▲９▼  昆虫が嫌う植物の乾燥粉末と土砂の混合物
▲１０▼  Ｔ字型のシート用、押さえピン
▲１１▼  Ｓ字型のシート用、押さえピン
▲１２▼  ヒモ
▲１３▼  ヒモの「止め結び」
▲１４▼  ヒモの「８の字結び」
▲１５▼  ヒモ引っかけ、切れ目状の溝付きのツメ引っかけ式、ネットの止め具
―▲１▼取手
―▲２▼ツメの先端部分
―▲３▼バネ
―▲４▼中心部
―▲５▼交差している部分
―▲６▼バネが入る穴
―▲７▼ヒモを引っかけ、切れ目状の溝
▲１６▼  ロールブラシ式、ネットの止め具
―▲１▼細いツメ状の突起物
―▲２▼丸状の支柱
―▲３▼板状の支柱
▲１７▼  シーリング（コーキング）用のボンド、シリコンコーク
▲１８▼  コーキングガン（ボンドを出す器具〉
▲１９▼  ブロック
【考案を実施するための形態】
【００１０】  ナラ類の木の大木は一つの森に５〜１０本ぐらいが生えているわけではない。３０〜１５０本以上の木が生えている。そこでカシノナガキクイムシなどの昆虫が穿入しそうなナラ類の大木に一本ずつ網を丁寧に実施してゆくことが肝要である。地道な仕事である。木や森を守るという強い使命感がなければできないことである。
１、樹幹の上から下へ包帯式のメッシュ状の網を巻いてゆく。途中で用事ができた時は「ロールブラシ式、ネットの止め具」で一旦、仕事を中止して、用事を済ませてから施工をする。一から元に戻って網を巻くことをせずに済むので便利になる器具である。更に網の最終を止める時は「ヒモ引っかけ、切れ目状の溝付きのツメ引っかけ式、ネットの止め具」で網と網を素早く止めておいて、ヒモを用意して樹幹に巻いて、ヒモの端、又は途中を輪状、又は結び目をつくって、ヒモ引っかけ、切れ目状の溝に差し込んで、又は入れ込んだりして、「止め結び」や「８の字結び」で強くしばって、絞って止める。後からゆっくりとボンド、シリコンのコーキング、シーリングをして隙間のでないようにする。二つの止め具を使用することにより、小人数で素早く施工、作業をすることが可能になる。
２、根の這った地上の部分は幹の部分か徐徐に四方に広げてゆく。この時、風で網が浮き上がったりするのを防ぐために「ロールブラシ式、ネットの止め具」や「ヒモ引っかけ、切れ目状の溝付きのネットの止め具」で一旦、網を止めておいて、後からＴ字型やＳ字型のネットの押しピンで網の上から地面に打ち付けたり、ブロックを置いたりする。
３、網の最終の端は地面には苔が生えている。苔と共に土、土砂を幅、１５ｃｍ以上削って、その穴の中へ網の端を入れ込んで土砂をかぶせておく。その上にブロックを置いて、Ｔ字型やＳ字型の網の押しピンで止めておく。
４、網と網の隙間のチェックとその見回りのメンテナンスが必要である。カシノナガキクイムシなどの昆虫は４〜５ミリと小さい。その「小さい」という認識と隙間のチェックが最重要となる。大変な作業であるが、歴史ある日本の森を守るために必要となる。
【産業上の利用可能性】
【００１１】  今、日本の山は「ナラ枯れ」被害が急速に広がっている。その原因はナガキクイムシ科の昆虫であるカシノナガキクイムシなどが大径木の内部に穿孔して、棲息してナラ菌を発生させて、生立木の樹木内に運び込む水の吸い上げを阻害するために起こる枯れ死である。何百年と生きた大きな大木が枯れていくという大変な事態になっている。本提案の網の止め具を使用して、大木の樹幹や根にカシノナガキクイムシなどの昆虫が近づかないようにすることや、既に木の中にいる場合は外へ飛び立てないようにすることにより、何百年と生きてきた樹木の被害をくい止めることに寄与して、有名な神社、お寺の森や日本の山を守ることに貢献する。
【手続補正書】
【提出日】平成30年4月11日(2018.4.11)
【手続補正１】
【補正対象書類名】実用新案登録請求の範囲
【補正対象項目名】全文
【補正方法】変更
【補正の内容】
【実用新案登録請求の範囲】
【請求項１】
ナラ枯れを発生さすのを防止するためにカシノナガキクイムシがナラ類、シイ、カシ類の樹木樹幹に出入りできないようにするためやミカン、桃、ビワ、桜、クヌギなどの樹幹に穴をあけて、枯れさす外来種のクビアカツヤカミキリなどの昆虫が木の樹幹に出入りできないようにするために、包帯式の巻いた細かいメッシュ状の網を用意して、樹幹に１〜３重に巻いたり、地上の根の上に被せたりしておく時に、作業の途中で一旦、止めて休息したり、別のことをしたりする時に使用する、髪を解く時や整える時に使用するロールブラシ状のブラシで、取手をなくした形状で、円筒形、又は板状の形で、大きく長くして、表面に棘状の細かい突起物を無数につけた形状にした「ロールブラシ式、ネットの止め具」を使用すると、メッシュ状の網に突起物が絡まることにより、網が引っかかり、一時的に固定をさすことが可能になり、また、最終的に樹幹に網を止める時には作業性良く止めることができる「ヒモ引っかけ、切れ目状の溝付きのツメ引っかけ式、ネットの止め具」を使用して止めるが、そのネットの止め具とは取手とバネの部分は洗濯バサミの型の形状であり、ネットをつかむ先端部分はヘアークリップ型の形状で、つかむ部分のツメはできるだけ多くしておき、バネは二個にして、強力にして、ネットとネット、ネットと別の物体を固定する時はできるだけ、ワンタッチでつかんで固定することができるように、つかむ部分の先端は少し曲げた細いツメ状の形状と交差するようにしておくことにより、ツメがネットの穴に入り、簡単に抜けなくなり、固定できることと、更に、取手とツメを支える中心部より二個の取手の中間部より中心部に近い位置に、中心部に向かって切れ目の溝や割れ目を二個の取手の外側に入れておく、更に、ツメの方にも中心部よりの位置に、ツメを支える二個の支柱の外側にツメ方向に向かって、切れ目状の溝や割れ目を入れておくことにより、別途にヒモを用意して、そのヒモを樹幹に１〜３重に回して、絞り、切れ目状の溝、割れ目に差し込み引っかけて、入れ込んで止めたりすることができて、ヒモの端を「止め結び」や「８の字結び」にして止めたりして、止めることができることにより、効率的に作業ができて、樹幹に巻いた網に隙間が出ないように素早く止めることができることを特徴とする、昆虫を防止する網の止め具。
【手続補正書】
【提出日】平成30年6月4日(2018.6.4)
【手続補正１】
【補正対象書類名】実用新案登録請求の範囲
【補正対象項目名】全文
【補正方法】変更
【補正の内容】
【実用新案登録請求の範囲】
【請求項１】
昆虫を防止する網の止め具において
（１）髪を解く時や整える時に使用するロールブラシの形で、取手をなくした形状で、支柱を円筒形、又は板状にして、大きく、長くして、表面に棘状の細かい突起物を無数につけた形にした「ロールブラシ式、ネットの止め具」で、上下二枚の網の間に引っかけることにより、作業の途中で一旦作業を止めて、休息や他のことをすることができる、
（２）更に、取手とバネの部分は洗濯バサミの形状で、ネットをつかむ先端部分はヘアークリップ型の形で、つかむ部分のツメはできるだけ多くしておき、バネは二個にして、強力にして、ネットとネット、ネットと別の物体を固定する時は、できるだけワンタッチでつかんで固定をすることができるように、つかむ部分の先端は少し曲げた細いツメ状の形状と交差するようにしておくことにより、ツメがネットの穴に入り、簡単に抜けなくなり、固定をすることができる、「ツメ引っかけ式、ネットの止め具」で網をつかんで止めることができて、
（３）更に、「ツメ引っかけ式、ネットの止め具」のネットをつかむ二個の先端部分から中心部よりの支柱と二個の取手の中間部分より中心部に近い取手の支柱の部分に、ヒモを引っかけることができる切れ目状の溝をつけておいた、「ヒモ引っかけ、切れ目状の溝付きのツメ引っかけ式、ネットの止め具」を使用して、別途にヒモを用意して、そのヒモを樹幹に１〜３重に回して、絞り、ヒモ引っかけ、切れ目状の溝に差し込み、引っかけて入れ込んで網を最終的に止めることができる、
以上の（１）〜（３）の構成からなる昆虫を防止する網の止め具。